(57)【要約】【課題】  ランプや電源基板等の発熱部品をきわめて効果的に冷却することができる冷却構造を備えた電子機器を提供する。【解決手段】  吸気口及び排気口を有する筐体１０と、この筐体１０内に配置された発熱部品（ランプユニット２０のランプ及び電源基板５０）と、吸気口から排気口へと向かう気流を筐体１０内に生成する軸流ファン６１、６２と、を備えるプロジェクタ１（電子機器）である。軸流ファン６１、６２は、相互に隣接した状態で排気口の近傍に複数配置され、前記気流を一方向に整流した状態で排気口から筐体１０の外部へと排出するとともに、排出後の気流が排気口から逆流するのを阻止するように機能する。【選択図】図１
2006098734.tif 000002
【特許請求の範囲】
【請求項１】
吸気口及び排気口を有する筐体と、この筐体内に配置された発熱部品と、前記吸気口から前記排気口へと向かう気流を前記筐体内に生成する空冷ファンと、を備える電子機器において、
前記空冷ファンは、
相互に隣接した状態で前記排気口の近傍に複数配置され、前記気流を一方向に整流した状態で前記排気口から前記筐体の外部へと排出するとともに、排出後の気流が前記排気口から逆流するのを阻止するように機能する軸流ファンであることを特徴とする電子機器。
【請求項２】
前記排気口及び前記軸流ファンは、
前記発熱部品の近傍に設けられていることを特徴とする請求項１に記載の電子機器。
【請求項３】
前記筐体は、
前記発熱部品が載置される底面を有し、
前記吸気口は、
前記筐体の前記底面に設けられた下部吸気口を含み、
前記下部吸気口から前記発熱部品と前記筐体の前記底面との間の空間を経由して前記排気口へと向かう下方気流を生成する下方気流生成用シロッコファンを備えることを特徴とする請求項１又は２に記載の電子機器。
【請求項４】
前記吸気口から前記発熱部品の側方空間を経由して前記排気口へと向かう側方気流を生成する側方気流生成用シロッコファンを備えることを特徴とする請求項３に記載の電子機器。
【請求項５】
前記発熱部品の上方及び側方を覆う断熱部材を備え、
前記断熱部材と前記筐体の前記底面とにより、前記軸流ファンによって生成される気流の方向に対して略平行な流路が形成されることを特徴とする請求項３又は４に記載の電子機器。
【請求項６】
前記断熱部材の内面にアルミ蒸着膜が形成されていることを特徴とする請求項５に記載の電子機器。
【請求項７】
前記断熱部材と前記筐体の底面とによって形成される空間内の熱を、前記断熱部材の側方から前記排気口へと導く側方流路を備えることを特徴とする請求項５又は６に記載の電子機器。
【請求項８】
プロジェクタであることを特徴とする請求項１から７の何れか一項に記載の電子機器。
【発明の詳細な説明】
【技術分野】
【０００１】
本発明は、電子機器に関し、特に、発熱部品を備えるとともにこの発熱部品を冷却する冷却構造を備えた電子機器に関する。
【背景技術】
【０００２】
プロジェクタ等の電子機器には、ランプや制御基板等の発熱部品が搭載されている。このため、かかる発熱部品を冷却するための冷却構造が種々提案されている。
【０００３】
例えば、図５に示すように、筐体１００の内部にランプユニット１１０、電源基板１２０、カラーホイール１３０、レンズユニット１４０、バラスト電源１５０等が配置されてなるプロジェクタに空冷ファン２００を設け、この空冷ファン２００を用いて、筐体１００に設けられた吸気口から排気口へと向かう気流（図５において紙面左側から紙面右側へと向かう気流）を生成することにより、筐体１００の内部の熱を放出する構造が提案されている。
【０００４】
また、近年においては、プロジェクタの制御基板に実装された発熱素子に特定構造を有する「放熱部材」を熱結合し、この「放熱部材」を含む閉空間に、空冷ファンを用いて生成した気流を通すことにより発熱素子を冷却する構造が提案されている（例えば、特許文献１参照。）。
【特許文献１】特開２００２−３５３６７６号公報
【発明の開示】
【発明が解決しようとする課題】
【０００５】
しかし、図５に示した従来の冷却構造や前記特許文献１に記載された従来の冷却構造を採用すると、筐体の排気口から排出された高温の空気が、筐体外部で循環して排気口に逆流することが懸念される。また、図５に示すようにランプユニット１１０の近傍に他の発熱部品（例えばバラスト電源１５０）が配置されると、この発熱部品から放出される熱がランプユニット１１０に伝達され、十分な冷却効果が得られない場合があった。
【０００６】
本発明の課題は、ランプや電源基板等の発熱部品をきわめて効果的に冷却することができる冷却構造を備えた電子機器を提供することである。
【課題を解決するための手段】
【０００７】
以上の課題を解決するために、請求項１に記載の発明は、
吸気口及び排気口を有する筐体と、この筐体内に配置された発熱部品と、前記吸気口から前記排気口へと向かう気流を前記筐体内に生成する空冷ファンと、を備える電子機器において、
前記空冷ファンは、
相互に隣接した状態で前記排気口の近傍に複数配置され、前記気流を一方向に整流した状態で前記排気口から前記筐体の外部へと排出するとともに、排出後の気流が前記排気口から逆流するのを阻止するように機能する軸流ファンであることを特徴とする。
【０００８】
請求項１に記載の発明によれば、相互に隣接した状態で排気口の近傍に複数配置される軸流ファンを備えており、この軸流ファンが、吸気口から排気口へと向かう気流を筐体内に生成し、この気流を一方向に整流した状態で排気口から筐体の外部へと排出するとともに、排出後の気流が排気口から逆流するのを阻止するように機能する。従って、筐体内に配置された発熱部品をきわめて効果的に冷却することができる。
【０００９】
請求項２に記載の発明は、請求項１に記載の電子機器において、
前記排気口及び前記軸流ファンは、
前記発熱部品の近傍に設けられていることを特徴とする。
【００１０】
請求項２に記載の発明によれば、排気口及び軸流ファンは発熱部品の近傍に設けられているので、発熱部品から放出される熱を筐体の外部に迅速に排出することができる。
【００１１】
請求項３に記載の発明は、請求項１又は２に記載の電子機器において、
前記筐体は、
前記発熱部品が載置される底面を有し、
前記吸気口は、
前記筐体の前記底面に設けられた下部吸気口を含み、
前記下部吸気口から前記発熱部品と前記筐体の前記底面との間の空間を経由して前記排気口へと向かう下方気流を生成する下方気流生成用シロッコファンを備えることを特徴とする。
【００１２】
請求項３に記載の発明によれば、下方気流生成用シロッコファンにより、筐体の底面に設けられた下部吸気口から発熱部品の下方空間（発熱部品と筐体の底面との間の空間）を経由して排気口へと向かう下方気流を生成するので、発熱部品の下部を効果的に冷却することができる。
【００１３】
請求項４に記載の発明は、請求項３に記載の電子機器において、
前記吸気口から前記発熱部品の側方空間を経由して前記排気口へと向かう側方気流を生成する側方気流生成用シロッコファンを備えることを特徴とする。
【００１４】
請求項４に記載の発明によれば、側方気流生成用シロッコファンにより、筐体の吸気口から発熱部品の側方空間を経由して排気口へと向かう側方気流を生成するので、発熱部品の側部を効果的に冷却することができる。ここで、発熱部品の側方空間とは、発熱部品近傍の空間であって発熱部品の上方及び下方の空間を除いたものを意味する。
【００１５】
請求項５に記載の発明は、請求項３又は４に記載の電子機器において、
前記発熱部品の上方及び側方を覆う断熱部材を備え、
前記断熱部材と前記筐体の前記底面とにより、前記軸流ファンによって生成される気流の方向に対して略平行な流路が形成されることを特徴とする。
【００１６】
請求項５に記載の発明によれば、発熱部品の上方及び側方を覆う断熱部材を備えるので、発熱部品から放出される熱が発熱部品の上方及び側方に拡散するのを阻止することができるとともに、一の発熱部品の近傍に配置された他の発熱部品から放出される熱が、一の発熱部品に伝達されるのを阻止することができる。また、この断熱部材と筐体の底面とにより、軸流ファンによって生成される気流の方向に対して略平行な流路が形成されるため、この断熱部材の内部に配置された発熱部品の熱をきわめて効果的に排出することが可能となる。
【００１７】
請求項６に記載の発明は、請求項５に記載の電子機器において、
前記断熱部材の内面にアルミ蒸着膜が形成されていることを特徴とする。
【００１８】
請求項６に記載の発明によれば、断熱部材の内面にアルミ蒸着膜が形成されているので、発熱部品から放出される熱を効率良く遮断することができる。
【００１９】
請求項７に記載の発明は、請求項５又は６に記載の電子機器において、
前記断熱部材と前記筐体の底面とによって形成される空間内の熱を、前記断熱部材の側方から前記排気口へと導く側方流路を備えることを特徴とする。
【００２０】
請求項７に記載の発明によれば、断熱部材と筐体の底面とによって形成される空間内の熱を、側方流路を介して断熱部材の側方から排気口へと導くことができるので、排気効率を格段に高めることができる。従って、高い冷却効果を得ることができる。
【００２１】
請求項８に記載の発明は、請求項１から７の何れか一項に記載の電子機器において、
プロジェクタであることを特徴とする。
【発明の効果】
【００２２】
本発明によれば、吸気口から排気口へと向かい発熱部品を通過する気流を筐体内に生成し、この気流を一方向に整流した状態で排気口から筐体の外部へと排出し、排出後の気流が排気口から逆流するのを阻止する複数の軸流ファンを備えるので、筐体内に配置された発熱部品をきわめて効果的に冷却することができる。また、吸気口から発熱部品の下方空間や側方空間を経由して排気口へと向かう下方気流や側方気流を生成するシロッコファンを設けることにより、発熱部品の下部や側方部を効果的に冷却することができる。また、発熱部品の上方及び側方を覆う断熱部材を備えることにより、発熱部品から放出される熱が上方及び側方に拡散するのを阻止するともに、一の発熱部品近傍に配置された他の発熱部品から放出される熱が一の発熱部品に伝達されるのを阻止することができる。そして、この断熱部材と筐体の底面とによって形成される空間内に、軸流ファンやシロッコファンにより生成された気流を通すことにより、この空間内の熱をきわめて効果的に排出することが可能となる。また、断熱部材と筐体の底面とによって形成される空間内の熱を、断熱部材の側方から排気口へと導く側方流路を備えることにより、排気効率を格段に高めることができ、高い冷却効果を得ることができる。
【発明を実施するための最良の形態】
【００２３】
以下、本発明の実施の形態を、図を用いて詳細に説明する。本実施の形態においては、本発明に係る電子機器の一例として、一枚のＤＭＤ（Digital Micromirror Device）を用いた単板式ＤＬＰ（Digital Light Processor）プロジェクタについて説明することとする。
【００２４】
[第１の実施の形態]
まず、図１及び図２を用いて、本発明の第１の実施の形態に係るプロジェクタ１の構成について説明する。
【００２５】
本実施の形態に係るプロジェクタ１は、図１及び図２に示すように、直方体形状の筐体１０、ランプユニット２０、ランプユニット２０から放射される光を透過させる透過型のカラーホイール３０、画像を生成して所定の方向に投射するレンズユニット４０、回路部品やバッテリを実装した電源基板５０、筐体１０の右側面１３ｒの近傍に配置された軸流ファン６１、６２、カラーホイール３０の下方に配置されたシロッコファン７０、ランプハウス８０等を備えて構成されている。
【００２６】
筐体１０は、図１及び図２に示すように、比較的広い面積を有する矩形状の上面１１及び底面１２と、これら上面１１及び下面１２の各辺に連接された４つの側面（１３ａ、１３ｂ、１３ｃ、１３ｄ）と、を有している。筐体１０の底面１２のカラーホイール３０の下方部分と筐体１０の左側面１３ｃとには、筐体１０の内部に空気を流入させるための吸気口が設けられている。また、筐体１０の右側面１３ｄには、筐体１０の内部の空気を排出するための排気口が設けられている。なお、これら吸気口及び排気口については図示を省略している。
【００２７】
ランプユニット２０は、光を放出するランプ、ランプからの光を反射させて所定の方向に集束させるリフレクタ、ランプ前面を保護するカバーガラス等から構成されている。ランプユニット２０は、図１（ｂ）及び図２に示すように、筐体１０の内部の左右方向略中央部分後方寄りの位置に配置され、その光軸は筐体１０の左右方向に延在している。ランプユニット２０の点灯動作は電源基板５０に実装された制御回路により制御される。ランプユニット２０のランプは、本発明における発熱部品である。
【００２８】
カラーホイール３０は、所定のモータにより駆動されて回転するとともにランプユニット２０から放射される光を透過させて、ランプユニット２０からの光を赤・緑・青の光に順次変換するものである。カラーホイール３０は、図１（ｂ）及び図２に示すように、ランプユニット２０の左側方に隣接した位置に配置されており、その回転動作は、電源基板５０に実装された制御回路により制御される。
【００２９】
レンズユニット４０は、カラーホイール３０を透過した光を導く導光筒、カラーホイール３０を通過した光を反射させて画像を生成する角度制御自在なデジタル反射集積素子であるＤＭＤ、ＤＭＤの動作を制御するＤＭＤ基板、ＤＭＤで生成した光（画像）を所定の方向に投射する投射レンズ等から構成されている。レンズユニット４０は、図１（ｂ）及び図２に示すように、カラーホイール３０と筐体１０の左側面１３ｃとの間の空間に配置され、図１（ｂ）の前方に画像を投射する。
【００３０】
電源基板５０は、図１（ｂ）に示すように、ランプユニット２０の前方に配置されている。電源基板５０は、本発明における発熱部品であり、ランプユニット２０の点灯動作やカラーホイール３０の回転動作を制御する制御回路を備えるとともに、各種電子機器に電力を供給するバッテリを備えている。
【００３１】
３個の軸流ファン６１、６２は、図１に示すように、ランプユニット１０の右側方に配置された１個の大径の軸流ファン６１と、電源基板５０の右側方に配置された２個の小径の軸流ファン６２と、から構成されており、これら３個の軸流ファン６１、６２は相互に隣接した状態で並設されている。３個の軸流ファン６１、６２は、電源基板５０に実装された制御回路の制御の下に所定のファンモータによって駆動されることにより、筐体１０の左側面１３ｃに設けられた吸気口から右側面１３ｄに設けられた排気口へと向かう気流を生成する。筐体１０の内部の発熱部品（ランプユニット２０のランプや電源基板５０）から放出される熱は、これら３台の軸流ファン６１、６２によって生成される気流により、筐体１０の右側面１３ｄに設けられた排気口へと導かれて排出される。
【００３２】
３個の軸流ファン６１、６２は、いずれも筐体１０の左側から右側へと流れる気流を生成するため、筐体１０の内部の気流は一方向に整流された状態で排気口から筐体１０の外部へと排出されることとなる。また、３個の軸流ファン６１、６２の総面積は、図１（ａ）に示すように筐体１０の右側面１３ｄの面積の大部分を占めており、これら軸流ファン６１、６２を通過して排気口から排出される気流の総量は大きいため、排出後の気流が排気口から逆流するのを阻止することができる。
【００３３】
シロッコファン７０は、図１（ｂ）及び図２に示すように、直方体形状のケースと、このケースの内部に収納された（図示されていない）円筒状の羽根車と、を有しており、筐体１０の底面１２に設けられた吸気口（以下「下部吸気口」という）の上方に配置されている。シロッコファン７０のケースの下部吸気口に近接する面には、下部吸気口を介して筐体１０の外部の空気を吸い込むための吸気用孔が設けられている。また、このケースのランプユニット２０に近接する面には、ランプユニット２０に向けて空気を排出するための排気用孔が設けられている。シロッコファン７０の羽根車が、電源基板５０に実装された制御回路の制御の下に所定のファンモータによって駆動されることにより、筐体１０の下部吸気口からランプユニット２０の下方空間（ランプユニット２０と筐体１０の底面１２との間の空間）を経由して筐体１０の排気口へと向かう下方気流が生成される。
【００３４】
また、本実施の形態におけるシロッコファン７０は、回転軸方向の寸法が半径方向の寸法よりも短い羽根車を採用し、この羽根車の形状に対応させて扁平な直方体形状のケースを採用している。そして、このように扁平な直方体形状を呈するシロッコファン７０を、筐体１０の下方に寝かせて配置する（羽根車の回転軸が図２の上下方向に延在するように配置する）ことにより、シロッコファン７０の上方に部品配置用の空間を設けることができる。本実施の形態においては、シロッコファン７０の上方空間にカラーホイール３０を配置している。
【００３５】
ランプハウス８０は、図１（ｂ）及び図２に示すように、ランプユニット２０の上方に配置される上方壁８１と、ランプユニット２０の前方に配置される前方壁８２と、ランプユニット２０の後方に配置される後方壁８３と、から構成される断面コ字状の断熱部材である。前方壁８２及び後方壁８３は、本発明における側方壁である。ランプハウス８０と筐体１０の底面１２Ａとにより、軸流ファン６１、６２によって生成される気流の方向に対して略平行な流路が形成される。また、ランプハウス８０を構成する上方壁８１、前方壁８２及び後方壁８３の内面（ランプユニット２０側の面）には、断熱機能を有するアルミ蒸着膜が形成されている。
【００３６】
以上説明した実施の形態に係るプロジェクタ１においては、相互に隣接した状態で排気口の近傍に配置される３台の軸流ファン６１、６２を備えており、これら３台の軸流ファン６１、６２が、吸気口から排気口へと向かう気流を筐体１０の内部に生成し、この気流を一方向に整流した状態で排気口から筐体１０の外部へと排出するとともに、排出後の気流が排気口から逆流するのを阻止するように機能する。従って、筐体１０の内部に配置された発熱部品であるランプや電源基板５０をきわめて効果的に冷却することができる。
【００３７】
また、以上説明した実施の形態に係るプロジェクタ１においては、１台の大径の軸流ファン６１が発熱部品であるランプの近傍に設けられ、２台の小径の軸流ファン６２が発熱部品である電源基板５０の近傍に設けられているので、これら発熱部品から放出される熱を筐体１０の外部に迅速に排出することができる。また、以上説明した実施の形態に係るプロジェクタ１においては、排気口が直方体状の筐体１０の一側面（右側面１３ｄ）のみに設けられているので、気流を一方向に整流することが容易となり、発熱部品であるランプや電源基板５０から放出された熱を筐体１０の一側面から効率良く排出することができる。
【００３８】
また、以上説明した実施の形態に係るプロジェクタ１においては、シロッコファン７０により、筐体１０の下面に設けられた下部吸気口からランプユニット２０の下方空間を経由して排気口へと向かう下方気流を生成するので、発熱部品であるランプの下部を効果的に冷却することができる。また、シロッコファン７０は扁平な直方体形状を呈しており、筐体１０の下方に寝かせて配置されているため、シロッコファン７０の上方空間を部品配置用の空間として有効に利用することができる。従って、プロジェクタ１の筐体１０の小型化・薄型化に寄与することができる。
【００３９】
また、以上説明した実施の形態に係るプロジェクタ１においては、ランプユニット２０の上方及び側方を覆うランプハウス８０を備えるので、発熱部品であるランプから放出される熱がランプの上方及び側方に拡散するのを阻止することができるとともに、ランプの近傍に配置された電源基板５０から放出される熱が、ランプに伝達されるのを阻止することができる。そして、このランプハウス８０と筐体１０の底面１２とによって形成される流路内に、大径の軸流ファン６１及びシロッコファン７０により生成された気流を通すことにより、このランプハウス８０の内部の熱をきわめて効果的に排出することが可能となる。また、ランプハウス８０の内面にアルミ蒸着膜が形成されているので、ランプから放出される熱を効率良く遮断することができる。
【００４０】
[第２の実施の形態]
次に、図３及び図４を用いて、本発明の第２の実施の形態に係るプロジェクタ１Ａの構成について説明する。
【００４１】
本実施の形態に係るプロジェクタ１Ａは、図３及び図４に示すように、直方体形状の筐体１０Ａ、ランプユニット２０Ａ、ランプユニット２０Ａから放射される光を透過させる透過型のカラーホイール３０Ａ、画像を生成して所定の方向に投射するレンズユニット４０Ａ、回路部品やバッテリを実装した電源基板５０Ａ、筐体１０の右側面１３Ａｄの近傍に配置された３台の軸流ファン６０Ａ、カラーホイール３０Ａの側方に配置されたシロッコファン７０Ａ、ランプハウス８０Ａ、ダクト９０Ａ等を備えて構成されている。
【００４２】
筐体１０Ａは、図３及び図４に示すように、比較的広い面積を有する矩形状の上面１１Ａ及び底面１２Ａと、これら上面１１Ａ及び底面１２Ａの各辺に連接された４つの側面（１３Ａａ、１３Ａｂ、１３Ａｃ、１３Ａｄ）と、を有している。筐体１０Ａの左側面１３Ａｃには、筐体１０Ａの内部に空気を流入させるための吸気口が設けられている。また、筐体１０Ａの右側面１３Ａｄには、筐体１０Ａの内部の空気を排出するための排気口が設けられている。なお、これら吸気口及び排気口については図示を省略している。
【００４３】
ランプユニット２０Ａ、カラーホイール３０Ａ、レンズユニット４０Ａ及び電源基板５０は、第１の実施の形態に係るプロジェクタ１のランプユニット２０、カラーホイール３０、レンズユニット４０及び電源基板５０と実質的に同一であるので、説明を省略する。
【００４４】
３台の軸流ファン６０Ａは、図３及び図４に示すように、筐体１０の右側面１３Ａｄの近傍に相互に隣接した状態で並設されている。３台の軸流ファン６０Ａは同径の羽根車を有しており、これら羽根車が電源基板５０Ａに実装された制御回路の制御の下に所定のファンモータによって駆動されることにより、筐体１０Ａの左側面１３Ａｃに設けられた吸気口から右側面１３Ａｄに設けられた排気口へと向かう気流を生成する。筐体１０Ａの内部の発熱部品（ランプユニット２０Ａのランプや電源基板５０Ａ）から放出される熱は、これら３台の軸流ファン６０Ａによって生成される気流により、筐体１０Ａの右側面１３Ａｄに設けられた排気口へと導かれて排出される。
【００４５】
３台の軸流ファン６０Ａは、いずれも筐体１０Ａの左側から右側へと流れる気流を生成するため、筐体１０Ａの内部の気流は一方向に整流された状態で排気口から筐体１０Ａの外部へと排出されることとなる。また、図３（ａ）に示すように、３台の軸流ファン６０Ａの総面積は筐体１０Ａの右側面１３Ａｄの面積の大部分を占めており、これら軸流ファン６０Ａを通過して排気口から排出される気流の総量は大きいため、排出後の気流が排気口から逆流するのを阻止することができる。
【００４６】
シロッコファン７０Ａは、図３（ｂ）及び図４に示すように、直方体形状のケースと、このケースの内部に収納された（図示されていない）円筒状の羽根車と、を有しており、カラーホイール３０Ａの側方（図３（ｂ）においてカラーホイール３０Ａの前方）に配置されている。シロッコファン７０Ａのケースのカラーホイール３０Ａに近接する面には、筐体１０の左側面１３Ａｃに設けられた吸気口を介して筐体１０の内部に流入した空気を吸い込む吸気用孔が設けられている。また、このケースのランプユニット２０Ａに近接する面には、ランプユニット２０Ａに向けて空気を排出するための排気用孔が設けられている。シロッコファン７０Ａの羽根車が、電源基板５０Ａに実装された制御回路の制御の下に所定のファンモータによって駆動されることにより、筐体１０Ａの吸気口からランプユニット２０Ａの側方空間（図３（ｂ）においてランプユニット２０Ａの前方の空間）を経由して筐体１０Ａの排気口へと向かう側方気流を生成する。
【００４７】
本実施の形態におけるシロッコファン７０Ａは、回転軸方向の寸法が半径方向の寸法よりも短い羽根車を採用し、この羽根車の形状に対応させて扁平な直方体形状のケースを採用している。このように扁平な直方体形状を呈するシロッコファン７０Ａをカラーホイール３０Ａの側方に立てて配置する（羽根車の回転軸が図３（ｂ）の前後方向に延在するように配置する）ことにより、シロッコファン７０Ａの前方又は後方に部品配置用の空間を設けることができる。本実施の形態においては、シロッコファン７０Ａの後方空間（シロッコファン７０Ａとカラーホイール３０Ａとの間の空間）に図示されていない比較的大きなファンモータを配置し、このファンモータによりシロッコファン７０Ａの羽根車を駆動することにより、大容量の送風を実現させている。
【００４８】
ランプハウス８０Ａは、図３（ｂ）及び図４に示すように、ランプユニット２０Ａ及びカラーホイール３０Ａの上方に配置される上方壁８１Ａと、ランプユニット２０Ａ及びカラーホイール３０Ａの前方に配置される前方壁８２Ａと、ランプユニット２０Ａ及びカラーホイール３０Ａの後方に配置される後方壁８３Ａと、から構成される断面コ字状の断熱部材である。前方壁８２Ａ及び後方壁８３Ａは、本発明における側方壁である。ランプハウス８０Ａと筐体１０Ａの底面１２Ａとにより、軸流ファン６０Ａによって生成される気流の方向に対して略平行な流路が形成される。また、ランプハウス８０Ａを構成する前方壁８２Ａには、図４に示すように、シロッコファン７０Ａの排気用孔から排出される空気を流入させる空気流入孔８２Ａａが設けられている。また、この前方壁８２Ａには、ランプハウス８０Ａの内部の熱をダクト９０Ａへと流出させる空気流出孔８２Ａｂが設けられている。
【００４９】
ダクト９０Ａは、ランプハウス８０Ａの内部の熱を筐体１０Ａの右側面１３Ａｄに設けられた排気口へと導く「側方流路」を形成するための中空部材である。ダクト９０Ａは、図３（ａ）及び図４に示すように筐体１０Ａの上方に配置されており、ランプハウス８０Ａの空気排出孔８２Ａｂに連通接続される空気取入口９１Ａと、軸流ファン６０Ａの近傍に配置される断面矩形状の空気排出口９２Ａと、を備えている。
【００５０】
以上説明した実施の形態に係るプロジェクタ１Ａにおいては、相互に隣接した状態で排気口の近傍に配置される３台の軸流ファン６０Ａを備えており、これら３台の軸流ファン６０Ａが、吸気口から排気口へと向かう気流を筐体１０Ａの内部に生成し、この気流を一方向に整流した状態で排気口から筐体１０Ａの外部へと排出するとともに、排出後の気流が排気口から逆流するのを阻止するように機能する。従って、筐体１０Ａの内部に配置された発熱部品であるランプや電源基板５０Ａをきわめて効果的に冷却することができる。
【００５１】
また、以上説明した実施の形態に係るプロジェクタ１Ａにおいては、３台の大径の軸流ファン６０Ａが発熱部品であるランプ及び電源基板５０Ａの近傍に設けられているので、これら発熱部品から放出される熱を筐体１０Ａの外部に迅速に排出することができる。また、以上説明した実施の形態に係るプロジェクタ１Ａにおいては、排気口が直方体状の筐体１０Ａの一側面（右側面１３Ａｄ）のみに設けられているので、気流を一方向に整流することが容易となり、発熱部品であるランプや電源基板５０Ａから放出された熱を筐体１０Ａの一側面から効率良く排出することができる。
【００５２】
また、以上説明した実施の形態に係るプロジェクタ１Ａにおいては、シロッコファン７０Ａにより、筐体１０Ａの吸気口からランプユニット２０Ａの側方空間を経由して排気口へと向かう側方気流を生成するので、発熱部品であるランプの側方部を効果的に冷却することができる。また、シロッコファン７０Ａは扁平な直方体形状を呈しており、筐体１０Ａの内部に立てて配置されるため、このシロッコファン７０Ａの側方空間を部品配置用の空間として有効に利用することができるので、この側方空間に比較的大きなファンモータを配置することができる。従って、多量の側方気流を生成することが可能となり、十分な冷却効果を得ることができる。
【００５３】
また、以上説明した実施の形態に係るプロジェクタ１Ａにおいては、ランプユニット２０Ａの上方及び側方を覆うランプハウス８０Ａを備えるので、発熱部品であるランプから放出される熱がランプの上方及び側方に拡散するのを阻止することができるとともに、ランプの近傍に配置された電源基板５０Ａから放出される熱が、ランプに伝達されるのを阻止することができる。そして、このランプハウス８０Ａと筐体１０Ａの底面１２Ａとによって形成される流路内に、軸流ファン６０Ａ及びシロッコファン７０Ａにより生成された気流を通すことにより、ランプハウス８０Ａの内部の熱をきわめて効果的に排出することが可能となる。
【００５４】
また、以上説明した実施の形態に係るプロジェクタ１Ａにおいては、ランプハウス８０Ａの内部の熱を、ダクト９０Ａによって形成される「側方流路」を介して、ランプハウス８０Ａの側方から排気口へと導くことができるので、排気効率を格段に高めることができる。従って、高い冷却効果を得ることができる。
【００５５】
なお、以上の各実施の形態においては、プロジェクタの筐体の一側面に軸流ファンを３個並設した例を示したが、軸流ファンの個数はこれに限られるものではなく、例えば大径の軸流ファンを２個並設したり、比較的小径の軸流ファンを４個並設したりすることもできる。すなわち、排気口から排出される気流の総量を大きくして、排出後の気流が排気口から逆流するのを阻止するような機能を果たすように複数の軸流ファンを設ければよい。
【００５６】
また、以上の各実施の形態においては、プロジェクタの筐体の右側面近傍に軸流ファンを配置して、筐体の左側面から右側面に向かう気流を生成した例を示したが、筐体の左側面に軸流ファンを配置して、筐体の右側面から左側面に向かう気流を生成してもよい。また、プロジェクタの筐体の前側面及び後側面に吸気口及び排気口を設けるとともに、筐体の前側面近傍（又は後側面近傍）に軸流ファンを配置して、筐体の後側面から前側面に向かう気流（又は筐体の前側面から後側面に向かう気流）を生成することもできる。
【００５７】
また、以上の各実施の形態においては、断面コ字状のランプハウスを採用した例を示したが、ランプハウスの断面形状はこれに限られるものではなく、例えば、断面矩形状、断面円形状、断面多角形状のランプハウスを採用することができる。また、以上の各実施の形態においては、筐体の右側面に排気口が設けられているため、左右方向に直線状に延在する流路を形成するランプハウスを採用してランプハウス内の熱を筐体の右側に導いた例を示したが、例えば筐体の前側面に排気口が設けられているような場合には、平面視でＬ字状の流路を形成するランプハウスを採用して、ランプハウス内の熱を筐体の前方に導くこともできる。また、平面視でＵ字状のランプハウスを採用してもよい。
【００５８】
また、第１の実施の形態においては、筐体の底面に吸気口（下部吸気口）を設けるとともにシロッコファンを筐体の下方に寝かせて配置した例を示したが、筐体の上面に吸気口（上方吸気口）を設けるとともにシロッコファンを筐体の上方に寝かせて配置することもできる。また、第２の実施の形態においては、カラーホイールの前方にシロッコファンを立てて配置した例を示したが、シロッコファンをカラーホイールの後方に立てて配置することもできる。また、カラーホイールの前方及び後方に各々シロッコファンを立てて配置してもよい。
【００５９】
また、第２の実施の形態においては、ランプハウスの延在方向（筐体の左右方向）に対して平行な側方流路を形成するダクトを設け、この側方流路を介して筐体の右側面に設けられた排気口から熱を排出した例を示したが、必ずしもランプハウスの延在方向に対して平行に側方流路を設ける必要はない。例えば、筐体の前側面にも排気口が設けられているような場合には、ランプハウスの延在方向に対して直角な方向（筐体の前後方向）に延在する側方流路を形成するダクトを設け、この側方流路を介して筐体の前側面に設けられた排気口から熱を排出してもよい。また、第２の実施の形態においては、ダクト（側方流路）を一つ設けた例を示したが、複数のダクト（側方流路）を設けることもできる。
【００６０】
また、以上の各実施の形態においては、ランプや電源基板等の発熱部品を備えたプロジェクタに本発明を適用した例を示したが、発熱部品及び空冷ファンを備える他の電子機器に本発明を適用することもできる。
【図面の簡単な説明】
【００６１】
【図１】（ａ）は本発明の第１の実施の形態に係るプロジェクタを右側方から見た場合の透視図であり、（ｂ）は本発明の第１の実施の形態に係るプロジェクタを上方から見た場合の透視図である。
【図２】（ａ）は図１に示したプロジェクタを前方から見た場合におけるランプハウス内部を示す透視図であり、（ｂ）は図１に示したプロジェクタを前方から見た場合におけるランプハウス外部を示す透視図である。
【図３】（ａ）は本発明の第２の実施の形態に係るプロジェクタを右側方から見た場合の透視図であり、（ｂ）は本発明の第２の実施の形態に係るプロジェクタを上方から見た場合の透視図である。
【図４】図３に示したプロジェクタを前方から見た場合における透視図である。
【図５】従来のプロジェクタの内部における各種部品の配置を説明するための説明図である。
【符号の説明】
【００６２】
１、１Ａ      プロジェクタ（電子機器）
１０、１０Ａ  筐体
１２、１２Ａ  底面
２０、２０Ａ  ランプユニット（発熱部品）
５０、５０Ａ  電源基板（発熱部品）
６１          大径の軸流ファン（空冷ファン）
６２          小径の軸流ファン（空冷ファン）
６０Ａ        軸流ファン（空冷ファン）
７０          シロッコファン（下方気流生成用シロッコファン）
７０Ａ        シロッコファン（側方気流生成用シロッコファン）
８０、８０Ａ  ランプハウス（断熱部材）
９０Ａ        ダクト（側方流路）
【図１】
2006098734.tif 000003
【図２】
2006098734.tif 000004
【図３】
2006098734.tif 000005
【図４】
2006098734.tif 000006
【図５】
2006098734.tif 000007